(57)【要約】【課題】傾斜面１００に積もる雪を下ろすための雪降ろし装置でエネルギー供給に伴う維持コストを殆ど無くすことのできるものを得る。【解決手段】雪降ろし装置１０は、傾斜面１００の下方向側に設けた下側ピストン１と、上方向側に設けた上側ピストン２と、下側ピストン１と上側ピストン２とを結ぶ流体を納めた連結管３と、下側ピストン１と上側ピストン２とに跨って、それぞれ回転可動部１ａ，２ａを介して設けられた上板部４と、積雪無しの通常時に上板部の傾きを限定するストッパ部Ｓと、を備える。【選択図】図１
2008002162.tif 000002
【特許請求の範囲】
【請求項１】
傾斜面に積もる雪を下ろすための雪降ろし装置であって、前記傾斜面の下方向側に設けられた下側ピストンと、上方向側に設けた上側ピストンと、前記下側ピストンと前記上側ピストンとを結ぶ流体を納めた連結管と、前記下側ピストンと前記上側ピストンとに跨って、それぞれ回転可動部を介して設けられた上板部と、積雪無しの通常時に前記上板部の傾きを限定するストッパ部と、を備えたことを特徴とする雪降ろし装置。
【請求項２】
前記ストッパ部が前記下側ピストンに設けられていることを特徴とする請求項１記載の雪降ろし装置。
【請求項３】
前記上側ピストンの径を前記下側ピストンの径より大きくしたことを特徴とする請求項１叉は２に記載の雪降ろし装置。
【請求項４】
前記上板部の下方向側に融解部を設置したことを特徴とする請求項１乃至３のいずれか１項に記載の雪降ろし装置。
【請求項５】
前記傾斜面が屋根であることを特徴とする請求項１乃至４のいずれか１項に記載の雪降ろし装置。
【発明の詳細な説明】
【技術分野】
【０００１】
この発明は、雪降ろし装置に関する。特に、傾斜面に積もる雪を下ろすための雪降ろし装置に関する。
【背景技術】
【０００２】
従来から、雪国での冬の屋根などからの雪降ろし乃至除雪は、極めて大きな労働力を必要とするため、これを減らす多くの提案がされてきた。屋根に取り付けた発熱線に電気を通して発熱し融雪するもの、温水を通す導管を屋根に取り付けて、融雪するもの、高温の水蒸気を通して融雪するもの（例えば、特許文献１参照）、さらに、屋根に圧電素子を接合して振動板としたもの（例えば、特許文献２参照）などである。また、機械的に、伸縮する雪降ろしアームを屋根に設け回転させるものもある（例えば、特許文献３参照）。
【特許文献１】特開２００５−３１５０６１号公報（要約書、図１）
【特許文献２】特開２００５−１０５７８９号公報（要約書、図２）
【特許文献３】特開２００３−１９３６４５号公報（要約書、図１）
【発明の開示】
【発明が解決しようとする課題】
【０００３】
しかしながら、上記の従来の提案は、作業労働力を減らすものの、電気、熱水、水蒸気、アームの回転などのエネルギー供給を常に行わなければならず、それらの維持コストが掛かる。そこで、本発明が、解決しようとする課題は、エネルギー供給に伴う維持コストを殆ど無くすことのできる雪降ろし装置を提供することにある。
【課題を解決するための手段】
【０００４】
上記課題を解決するため、本発明では、傾斜面に積もる雪を下ろすための雪降ろし装置で、前記傾斜面の下方向側に設けた下側ピストンと、上方向側に設けた上側ピストンと、前記下側ピストンと前記上側ピストンとを結ぶ流体を納めた連結管と、前記下側ピストンと前記上側ピストンとに跨って、それぞれ回転可動部を介して設けられた上板部と、積雪無しの通常時に前記上板部の傾きを限定するストッパ部と、を備えた雪降ろし装置とする。これによって、傾斜面に積もった雪の自重で下側ピストンに上側ピストンに対するより大きな加重が掛かり、下側ピストンが押し下げられ、連動して上側ピストンが押し上げられる。上板部はより大きく傾き雪が自然に降下して雪降ろしが行われる。このため、エネルギー供給に伴う維持コストを殆ど無くすことができる。
【０００５】
また、前記ストッパ部が前記下側ピストンに設けることとすれば、ストッパ部の形成が容易である。
【０００６】
また、前記上側ピストンの径を前記下側ピストンの径より大きくした雪降ろし装置とすれば、パスカルの原理（流体の一部に圧力を加えると、すべての点が同じ値だけ圧力を増す）を活用して下側ピストンの押し下げ動作を大きな力にして上側ピストンの押上げ力として上板部を確実に傾けることができる。
【０００７】
また、前記上板部の下方向側に融解部を設置した雪降ろし装置とすれば、雪はより滑りやすくなり、上板部の傾きで雪が自然に降下し易くなる。
【０００８】
また、雪降ろし装置を設ける前記傾斜面が屋根である場合には、危険な屋根からの雪降ろし作業をエネルギー供給が殆どなしに達成できる。
【発明の効果】
【０００９】
本発明の雪降ろし装置によれば、傾斜面に積もった雪の自重で下側ピストンが押し下げられ、連動して上側ピストンが押し上げられ、上板部はより大きく傾き雪が自然に降下して雪降ろしが行われる。このため、人の作業労働力をほぼ無くすと共にエネルギー供給に伴う維持コストを殆ど無くすことができる。
【発明を実施するための最良の形態】
【００１０】
以下本発明の実施の形態を図を参照しつつ説明する。
【００１１】
図１は、雪降ろし装置の概念説明用断面図で、積雪の無い状態を示す。図２は、同じ雪降ろし装置における積雪のある時の状態を示す。図３は、同じ雪降ろし装置における積雪が降下する時の状態を示す。
【００１２】
傾斜面１００に積もる雪２０（図２参照）を下ろすための雪降ろし装置１０は、傾斜面１００の下方向側に設けた下側ピストン１と、上方向側に設けた上側ピストン２と、下側ピストン１と上側ピストン２とを結ぶ流体を納めた連結管３と、下側ピストン１と上側ピストン２とに跨って、それぞれ回転可動部１ａ，２ａを介して設けられた上板部４と、積雪無しの通常時に上板部の傾きを限定するストッパ部Ｓと、を備える。また、この例では上板部４の下方向側に融解部５を設置している。融解部５は、太陽パネルを電源とする発熱部、商用電源叉は蓄電池からの電熱線、地下水の供給面等とすることが可能である。
【００１３】
下側ピストン１は、回転可動部１ａと回転可能に接続されたピストン部１ｃとこのピストン部１ｃをスライド可能とするシリンダ部１ｂとを有する。同様に上側ピストン２は、回転可動部２ａと回転可能に接続されたピストン部２ｃとこのピストン部２ｃをスライド可能とするシリンダ部２ｂとを有する。シリンダ部１ｂとシリンダ部２ｂとは、流体を納めた連結管３と流体を保持する空間を共有する。この例では、上側ピストン２の径を下側ピストン１の径より大きくして、パスカルの原理（流体の一部に圧力を加えると、すべての点が同じ値だけ圧力を増す）を活用して下側ピストン１の押し下げ動作を大きな力にして上側ピストン２の押上げ力としている。
【００１４】
ストッパ部Ｓは、この例では、下側ピストンに設けられている、すなわち、ここでは下側ピストン１のシリンダ部１ｂの上方に設けられる。上側ピストン２にも設置できる可能性はあるが、下側ピストン１であれば、シリンダ部１ｂの外側に当たるシリンダ部１ｂの上方に設けられるため、加工また設置が容易である。
【００１５】
上板部４は、その上に雪２０が積もっていない状態では、ストッパ部Ｓによりその傾きを傾斜面１００と平行乃至上方へ開き気味に保たれる。
【００１６】
次に、上記の実施の形態の作用について、図１乃至図３を参照しつつ説明する。
【００１７】
上板部４上に雪２０が積もっていない状態では、図１のように上板部４は、ストッパ部Ｓにより傾きを傾斜面１００と平行乃至上方へ開き気味に保たれている。図２のように、上板部４に雪２０が積もると、積もった雪２０の自重で下側ピストン１に上側ピストン２に対するより大きな加重が掛かり、下側ピストン１が押し下げられ、連動して上側ピストン２が大きな力で押し上げられる（図２の矢印参照）。これによって、図３に示すように、上板部４はより大きく傾き雪２０が矢印Ｆのように自然に降下して雪降ろしが行われる。このとき融解部５で雪２０の下方向を融解することにより、雪２０はより滑りやすくなり、上板部４の傾きで雪２０が自然に降下し易くなる。
【００１８】
こうして、エネルギー供給に伴う維持コストを殆ど無くすことができる。
【００１９】
また、雪降ろし装置を設ける傾斜面が屋根である場合には、危険な屋根からの雪降ろし作業をエネルギー供給が殆どなしに達成できる。
【産業上の利用可能性】
【００２０】
以上のように、本発明による雪降ろし装置によれば、積もった雪の自重で上板部はより大きく傾き雪が自然に降下して雪降ろしが行われる。このため、人の作業労働力をほぼ無くすと共にエネルギー供給に伴う維持コストを殆ど無くすことができて有用であり、産業上の利用可能性は高い。
【図面の簡単な説明】
【００２１】
【図１】本発明による一実施の形態としての雪降ろし装置の概念説明用断面図である。積雪の無い状態を示す。
【図２】図１の雪降ろし装置における積雪のある時の状態を示す概念説明用断面図である。
【図３】図１の雪降ろし装置における積雪が降下する時の状態を示す概念説明用断面図である。
【符号の説明】
【００２２】
１  下側ピストン、１ａ  回転可動部、１ｂ  シリンダ部、１ｃ  ピストン部、２  上側ピストン、２ａ  回転可動部、２ｂ  シリンダ部、２ｃ  ピストン部、３  連結管、４  上板部、５  融解部、１０  雪降ろし装置、２０  雪、１００  傾斜面、Ｓ  ストッパ部、Ｆ  矢印。
【図１】
2008002162.tif 000003
【図２】
2008002162.tif 000004
【図３】
2008002162.tif 000005